(57)【特許請求の範囲】
【請求項１】
折り曲げ可能な線条部材と、一端が前記線条部材と直接又は他の部材を介して連結された帯状部材とを有し、
前記線条部材は、チェーンの環に引っ掛かるように形成されたフック部を有し、前記帯状部材は一方の面に面ファスナーの雄部材が設けられ、他方の面に面ファスナーの雌部材が設けられてなり、
前記フック部を並列配置されたチェーンの環に引掛けて係止させると共に、前記帯状部材を前記並列配置されたチェーンに巻き回することを特徴とするチェーン位置ずれ防止具。
【請求項２】
並列配置されるチェーンの環に挿通可能な挿入部材を有し、該挿入部材に前記線条部材及び帯状部材が取り付けられていることを特徴とする請求項１記載のチェーン位置ずれ防止具。
【請求項３】
前記挿入部材は、一端側に膨出部を有する板状体からなることを特徴とする請求項２記載のチェーン位置ずれ防止具。
【請求項４】
前記帯状部材に、蛍光反射帯を設けたことを特徴とする請求項１乃至３のいずれかに記載のチェーン位置ずれ防止具。
【発明の詳細な説明】
【技術分野】
【０００１】
本発明は、例えば橋梁を含む鋼構造物等の架設現場において用いられる足場吊りチェーンのように対象物にチェーンを掛け回した場合において、チェーンの位置のずれを防止するチェーン位置ずれ防止具に関する。
【背景技術】
【０００２】
鋼構造物、例えば橋梁の建設工事において、架設された桁材に足場吊りチェーンを掛け回して足場が吊り下げられる。
図１３は架設された桁材１００の断面図、図１４は図１２の一部を抜き出して拡大して示す拡大図である。
架設された桁材１００には、図１３、図１４に示すように、そのフランジ１０１の下方に設置された補剛板１０３に形成された1/4円状の1/4円開口部１０５や、ウェブ１０７の側面に突設した足場吊り下げ金具１０９に設けた円形の円開口部１１１に足場吊りチェーン１１３を吊り下げ、該足場吊りチェーン１１３に足場１１５が吊り下げ支持される。
足場吊りチェーンを開示した先行文献としては、例えば特許文献１がある。
【先行技術文献】
【特許文献】
【０００３】
【特許文献１】特開２００３−１６１０３６
【発明の概要】
【発明が解決しようとする課題】
【０００４】
足場吊りチェーン１１３を円開口部１１１に挿通して足場１１５を吊り下げる場合、図１５に示すように、円開口部１１１の開口周縁にチェーン１１３の環１１７が山形になるように当接するようにする必要がある。何故なら、チェーン１１３の環１１７が水平状態で円開口部１１１の縁部に支持されると、チェーン１１３の環１１７は溶接接合されているため、溶接部１１７ａからチェーンが切れる恐れがあるからである。
もっとも、足場吊りチェーン１１３を掛け回した際に山形になるようにしたとしても、多数の足場吊りチェーン１１３で足場１１５を支持するため、足場吊りチェーン１１３のなかには張力が緩むものがあり、その場合、足場吊りチェーン１１３と円開口部１１１の縁部との当接部がずれて、足場吊りチェーン１１３の環が水平状態で開口縁部に支持される状態が生ずることがある。
これを防止するため、実際の現場では、例えばビニールテープのようなもので簡易的に足場吊りチェーン１１３を固定することが行われているが、ズレ防止の効果はほとんど期待できない。
【０００５】
また、足場側においては、足場吊りチェーン１１３の端部にフック１１９が設けられており、フック１１９を足場吊りチェーン１１３の環１１７に掛けているが（図１４参照）、足場吊りチェーン１１３が緩むとフック１１９が足場吊りチェーン１１３の環１１７から外れてしまう恐れがある。
フック１１９が外れると、足場吊りチェーン１１３が道路側に垂れ下がり危険である。
【０００６】
このように、足場吊りチェーン１１３と開口縁部との位置ずれ、あるいは端部にフック１１９を有する場合における足場吊りチェーン１１３の位置ずれを防止する必要がある。
しかしながら、従来においては、そのようなことについての解決策を提示したものはなかった。
上記の説明は、足場吊りチェーンを例に挙げたが、このような問題は足場吊りチェーンに限られず、チェーンを開口部に掛け回したり、余長部分の先端にフックを設けて該フックをチェーンの環に止めるような場合であれば、共通の課題である。
【０００７】
本発明はかかる課題を解決するためになされたものであり、簡易にチェーンのずれを防止できるチェーン位置ずれ防止具を提供することを目的としている。
【課題を解決するための手段】
【０００８】
（１）本発明に係るチェーン位置ずれ防止具は、折り曲げ可能な線条部材と、一端が前記線条部材と直接又は他の部材を介して連結された帯状部材とを有し、
前記線条部材は、チェーンの環に引っ掛かるように形成されたフック部を有してなり、前記帯状部材は一方の面に面ファスナーの雄部材が設けられ、他方の面に面ファスナーの雌部材が設けられてなり、
前記フック部を並列配置されたチェーンの環に引掛けて係止させると共に、前記帯状部材を前記並列配置されたチェーンに巻き回することを特徴とするものである。
【０００９】
（２）また、上記（１）記載のものにおいて、並列配置されるチェーンの環に挿通可能な挿入部材を有し、該挿入部材に前記線条部材及び帯状部材が取り付けられていることを特徴とするものである。
【００１０】
（３）また、上記（２）に記載のものにおいて、前記挿入部材は、一端側に膨出部を有する板状体からなることを特徴とするものである。
【００１１】
（４）また、上記（１）乃至（３）に記載のものにおいて、前記帯状部材に、蛍光反射帯を設けたことを特徴とするものである。
【発明の効果】
【００１２】
本発明においては、線条部材のフック部を、並列配置されたチェーンの環に引掛けると共に帯状部材を並列配置されたチェーンに巻き回して、巻き回した帯状部材上に線条部材を巻き付けて帯状部材を止めるようにしたので、簡易にチェーンのずれを防止することができる。
【図面の簡単な説明】
【００１３】
【図１】本発明の一実施の形態に係るチェーン位置ずれ防止具の説明図である。
【図２】図１に示したチェーン位置ずれ防止具の構成部材の説明図である。
【図３】図１に示したチェーン位置ずれ防止具の構成部材の説明図である。
【図４】本発明の一実施の形態に係るチェーン位置ずれ防止具の使用方法の説明図である（その１）。
【図５】本発明の一実施の形態に係るチェーン位置ずれ防止具の使用方法の説明図である（その２）。
【図６】本発明の一実施の形態に係るチェーン位置ずれ防止具の使用方法の説明図である（その３）
【図７】本発明の一実施の形態に係るチェーン位置ずれ防止具の使用方法の説明図であって、図６の矢印Ａ方向から見た状態を示す図である。
【図８】本発明の一実施の形態に係るチェーン位置ずれ防止具の使用方法の説明図である（その４）
【図９】本発明の実施の形態２のチェーン位置ずれ防止具の説明図である。
【図１０】本発明の実施の形態２のチェーン位置ずれ防止具の使用方法の説明図である（その１）。
【図１１】本発明の実施の形態２のチェーン位置ずれ防止具の使用方法の説明図である（その２）。
【図１２】本発明の実施の形態２のチェーン位置ずれ防止具の他の態様の説明図である。
【図１３】橋梁の建設工事において、架設された桁材に足場吊りチェーンを掛け回して足場を吊り下げている状態を説明する説明図である。
【図１４】図３の一部を抜き出して説明する説明図である。
【図１５】本発明が解決するべき課題を説明する説明図である。
【発明を実施するための形態】
【００１４】
［実施の形態１］
本発明の一実施の形態に係るチェーン位置ずれ防止具１を、図１乃至図８に基づいて説明する。
本実施の形態に係るチェーン位置ずれ防止具１は、並列配置されるチェーン３の環５に挿通可能な挿入部材７と、一端が該挿入部材７に取り付けられた折り曲げ可能な線条部材９と、一端が前記挿入部材７に取り付けられた帯状部材１１とを有し、前記線条部材９は、チェーン３の環５に引っ掛かるように形成されたフック部１３（図６参照）を有してなるものである。
以下、詳細に説明する。
【００１５】
＜挿入部材＞
挿入部材７は、図１に示すように、全体が略Ｔ字の板状の部材から形成されている。挿入部材７は、一端側に形成された膨出部１５と、矩形状の本体部１７と、本体部１７の他端側に形成された切り欠部１９とを有している。
膨出部１５の幅は、チェーン３の環５の内径よりも大きく設定されており、挿入部材７をチェーン３の環５に挿入したときに挿入部材７が抜けるのを防止できるようになっている。
膨出部１５には、開口部２１が設けられており、この開口部２１に帯状部材１１の一端が連結されている。
膨出部１５における、本体部１７側の部位には、凹部２３が形成されており、チェーン３の環５の外周部の一部が挿入されるようになっている。
本体部１７の幅方向中ほどには長手方向に伸びる凹溝２５が形成されている。凹溝２５は、チェーン３の環５の溶接部５ａが挿入される部位である。
また、本体部１７の長手方向の中央部には線条部材９が挿入可能な貫通孔２７が設けられている。
さらに、本体部１７における膨出部１５と反対側には、切り欠部１９が形成され、帯状部材１１が巻き付くようになっている。
【００１６】
挿入部材７の材質は特に限定されないが、軽くて硬い部材、例えば強化プラスチックや塩ビのようなものであればよい。
【００１７】
＜線条部材＞
線条部材９は、折り曲げ可能な金属、例えばアルミニウムの針金部材からなる。また、線条部材９の径は、例えば3mm程度である。
線条部材９は、使用前状態では、図１に示すようにほぼ真直ぐな状態であってもよく、使用時において、所望のフック形状に折り曲げでき、図６に示すようなフック部１３が形成できればよい。
【００１８】
＜帯状部材＞
帯状部材１１は、一端が挿入部材７の開口部２１に連結されることにより、挿入部材７に取り付けられている。開口部２１への取付は、図１に示すように、一端側を挿入部材７の開口部２１に挿して、挿通した端部を折り返して環にして、環にした部分の端部を例えばミシン縫いによって固定するようにすればよい。なお、ミシン縫いに代えてあるいはステープラによって取り付けてもよい。図２は、ステープラで止めた場合の帯状部材１１の平面図であり、図３は側面図である。図２、図３では、挿入部材７の図示は省略している。
【００１９】
帯状部材１１における挿入部材７に取り付ける側と反対側の端部には蛍光反射帯２９が設けられている。
帯状部材１１の材質は、チェーン３に巻き付けて、縛ることでチェーン３を縛ることができるようなものである必要があり、例えば不織布、布製、樹脂製等が挙げられる。
帯状部材１１の一方の面には面ファスナーの雄部材３１が、他方の面には面ファスナーの雌部材３３が形成されている。
なお、面ファスナーの雄部材、雌部材はいずれがいずれの面にあってもよい。
【００２０】
帯状部材は、樹脂製の単一の部材で形成されたものであってもよいし、麻ひも等の別部材に面ファスナーを固定したような複合部材であってもよい。
なお、帯状部材の色を例えば赤色、黄色等にして、チェーン位置ずれ防止具１が設置される場所等によって識別するようにすれば便利である。
【００２１】
上記のように構成された本実施の形態のチェーン位置ずれ防止具１の使用方法を、図４〜図８に基づいて説明する。
図４に示すように、並列配置された一対のチェーン３の環５に挿入部材７を挿入する。挿入時に、チェーン３の環５の溶接部５ａを挿入部材７の凹溝２５の位置にすることで、挿入部材７がガイドされてスムーズに挿入できる。
挿入部材７を挿入した状態では、図５に示すように、膨出部１５がチェーン３に当接して挿入部材７が抜けるのを防止する。
【００２２】
図５に示す状態から、併設するチェーン３を引き寄せ、線条部材９の先端を挿入部材７に設けた貫通孔２７に挿入し、貫通孔２７に挿入された線条部材９の端部を折り曲げてフック状にしてチェーン３に引掛けるようにする（図６、図７参照）。これによって、チェーン３の環５が引き寄せられた状態で位置決めされると共に、挿入部材７はチェーン３の環５から抜けないように固定される。
次に、図８に示すように、帯状部材１１を、チェーン３にクロスするように巻き回する。帯状部材１１が面ファスナーになっているので、しっかりと止めることができる。帯状部材１１の巻き回が完了した状態では、図８に示すように、蛍光反射帯２９が表面になるようにする。
【００２３】
以上のように、本実施の形態によれば、簡易に、かつ確実にチェーン３のずれを防止できる。
また、本実施の形態においては、帯状部材１１に蛍光反射帯２９を設けたので、夜間などにチェーン３の場所の確認が容易になり、安全上も好ましい。
なお、蛍光反射帯２９は必須ではなく、本発明は蛍光反射帯２９を設けない場合も含む。
【００２４】
［実施の形態２］
実施の形態１においては、線条部材９と帯状部材１１が挿入部材７を介して連結されるものであったが、本実施の形態のチェーン位置ずれ防止具３５は挿入部材を用いることなく、線条部材３７と帯状部材１１を直接連結するものである。
【００２５】
本実施の形態のチェーン位置ずれ防止具３５を構成する線条部材３７は、図９に示すように、使用前の状態では、全体形状が、略釣り針状に形成され、先端部にフック部３９が形成されている。釣り針状の形状における横辺が直線部４１になっており、この直線部４１に帯状部材１１が取り付けられるようになっている。
帯状部材１１の線条部材３７への取付は、帯状部材１１を線条部材３７に巻きつけて、ミシン縫いやステープラで固定すればよい。
線条部材３７は、図９の矢印で示すように、長辺部、短辺部を自由に折り曲げることができる。
帯状部材は、実施の形態１で示したものと同様である。
【００２６】
上記のように構成された本実施の形態の使用方法を説明する。
本実施の形態のチェーン位置ずれ防止具３５は、足場吊りチェーン３の端部に設けられたフック４３をチェーン３の環５に掛ける場合に、該フック４３がチェーン３の環５から外れるのを防止することによって、チェーン３のずれ止めを行うのに使用するのに好適である。
【００２７】
図１０に示すように、フック部３９をチェーン３の環５に引掛ける。その状態で、帯状部材１１をフック４３及びチェーン３に巻き回する。このとき、最後の一巻きが蛍光反射帯２９を設けた部位となり、巻き回が完了した状態では、図１１に示すように、蛍光反射帯２９が表面になるようになっている。
最後に、線条部材３７を帯状部材１１の表面に巻き回して、帯状部材１１が外れるのを確実に防止する。
【００２８】
以上のように、本実施の形態によれば、チェーン３の端部に設けられたフック４３がチェーン３から外れるのを確実に防止できる。
【００２９】
上記の実施の形態２においては、線条部材３７の使用前の形状として、略釣り針状のものを示したが、線条部材３７を図１２（ａ）に示すように、線条部材３７をフック部３９側に捻って巻きつけて、帯状部材１１の端部を取り付ける部位を矩形リング状の矩形リング部４５に形成するようにしてもよい。このようにすることで、フック部３９側の剛性を高めることができ、それによって、帯状部材１１の巻き回を強くすることができる。また、線条部材３７全体の剛性を高めることもできる。
【００３０】
なお、図９〜図１２に示したチェーン位置ずれ防止具３５は、実施の形態１で説明した併設されたチェーン３同士のずれ止めに使用することもできる。
【符号の説明】
【００３１】
１  チェーン位置ずれ防止具
３  チェーン
５  環
５ａ  溶接部
７  挿入部材
９  線条部材
１１  帯状部材
１３  フック部
１５  膨出部
１７  本体部
１９  切り欠部
２１  開口部
２３  凹部
２５  凹溝
２７  貫通孔
２９  蛍光反射帯
３１  面ファスナーの雄部材
３３  面ファスナーの雌部材
３５  チェーン位置ずれ防止具
３７  線条部材
３９  フック部
４１  直線部
４３  フック
４５  矩形リング部
１００  桁
１０１  フランジ
１０３  補剛板
１０５  1/4円開口部
１０７  ウェブ
１０９  足場吊り下げ金具
１１１  円開口部
１１３  足場吊りチェーン
１１５  足場
１１７  環
１１９  フック
【図１】
0005564398.tif 000002
【図２】
0005564398.tif 000003
【図３】
0005564398.tif 000004
【図４】
0005564398.tif 000005
【図５】
0005564398.tif 000006
【図６】
0005564398.tif 000007
【図７】
0005564398.tif 000008
【図８】
0005564398.tif 000009
【図９】
0005564398.tif 000010
【図１０】
0005564398.tif 000011
【図１１】
0005564398.tif 000012
【図１２】
0005564398.tif 000013
【図１３】
0005564398.tif 000014
【図１４】
0005564398.tif 000015
【図１５】
0005564398.tif 000016